(57)【要約】【課題】複数の支柱に係止されたブラケット先端に、ハンガー等の吊持用の矩形断面型平行棒を簡単、迅速に支持させることができるとともに、この支持を、ブラケット上での位置ずれやブラケットからの脱落なく、確実に行えるようにする。【解決手段】ストッパ部材１９が昇降移動の最上位付近にあるときは、矩形断面型平行棒１４を円弧状切欠１６の開放部１６ａから挿入可能にし、前記ストッパ部材１９が前記昇降移動の最下位付近にあるときは、前記矩形状切欠１６内に支持された矩形断面型平行棒１４を上方および側方から抑圧する。【選択図】図４
0003121505.tif 000002
【実用新案登録請求の範囲】
【請求項１】
上方に開放する略矩形状の矩形状切欠および該矩形状切欠の開放端部において前記矩形状切欠内へ突出するブラケット側係止部を持つ長板状のブラケットと、
該ブラケットの両側面に水平に突設されたストッパピンと、
前記矩形状切欠近傍において、前記ブラケットの上面および両側面を被うとともに、前記矩形状切欠の開放端部へ突出するストッパ部材側係止部を持つコ字状のストッパ部材と、
該ストッパ部材の対向片に斜め方向に穿設され、前記ストッパピンにより案内されて、前記ストッパ部材を昇降移動可能にするガイド長孔とを備え、
前記ストッパ部材が前記昇降移動の最上位付近にあるときは、矩形断面型平行棒を前記矩形状切欠の開放端部から挿入可能にし、
前記ストッパ部材が前記昇降移動の最下位付近にあるときは、前記矩形状切欠内に挿入された前記矩形断面型平行棒の側面および上面を前記ストッパ部材によって抑圧可能にすることを特徴とする平行棒支持装置。
【請求項２】
前記矩形状切欠のうち、前記ストッパピン側の切欠縁が、前記矩形状切欠の前記開放端部に向かって拡開するように傾斜してなることを特徴とする請求項１に記載の平行棒支持装置。
【考案の詳細な説明】
【技術分野】
【０００１】
本考案は、複数の支柱に係止されたブラケット間に矩形断面型平行棒を支持し、この矩形断面型平行棒に対し、衣料品を掛けたハンガーを吊持可能にして、陳列、販売等に供する商品陳列装置等におけ平行棒支持装置に関する。
【背景技術】
【０００２】
一般に、上着、シャツといった衣料品を店舗等で陳列、販売したり、あるいは事務所のロッカールーム等に収納したりする場合には、前記衣料品を形が崩れないようにハンガーに掛け、このハンガーを組み立てハンガー装置等の吊持用平行パイプに吊り下げている（例えば、特許文献１参照）。
【０００３】
この組み立てハンガー装置では、支柱の上端部間に吊持用平行パイプを架設しており、各支柱の上端部と吊持用平行パイプの各端部は、これらの上端部および端部を繋ぐ直角連結具を用いるなどして、直角連結される。
【０００４】
また、これらの連結状態を固定するために、複数の止めねじを支柱およびハンガーパイプ間にねじ込んでいる。この組み立てハンガー装置では、吊持用平行パイプに対し、衣料品を掛けたハンガーのフックを引っ掛けることにより、衣料品を吊持状態にて整理、整頓し、必要に応じて商品として展示、販売することができる。
【０００５】
一方、衣料品の陳列や販売には、商品陳列装置が用いられる。この商品陳列装置は、一対の支柱のそれぞれに設けられた係止孔に、各ブラケットの基端を係止し、これらのブラケットの先端部付近に吊持用平行パイプを連結具を用いて、またはねじ止めによって固定したものとなっている。この商品陳列装置にあっても、吊持用平行パイプに対し、衣料品を掛けたハンガーのフックを引っ掛けて、衣料品を吊持状態にて展示することができる。
【特許文献１】特開平８−１９４６５号公報
【考案の開示】
【考案が解決しようとする課題】
【０００６】
しかしながら、店舗、事務所等で利用される従来タイプの組み立てハンガー装置にあっては、支柱に対する吊持用平行パイプの取り付けが直角連結具の装着やねじ止めの作業を伴うため、組立作業の効率が悪く、例えば店舗用陳列具として利用するとき若干の不都合がある。
【０００７】
また、商品陳列専用の商品陳列装置にあっては、複数の支柱に上下複数段に亘ってブラケットの基部を係止させ、各ブラケット先端の凹部に吊持用平行パイプの両端部を支持させるため、装置の組み立て効率は改善されるものの、吊持用平行パイプが前記凹部から簡単に外れて、吊持した商品とともに床の上に落下してしまう場合があるという問題があった。
【０００８】
この落下を防止するために、吊持用平行パイプの両端をブラケットにねじ止めする方法が考えられるが、この場合には、商品陳列装置全体の組み立て効率に大きく影響してしまう。
【０００９】
本考案は、前記のような従来の問題点を解決するものであり、複数の支柱に係止されたブラケット先端に、ハンガー吊持用の矩形断面型平行棒を簡単、迅速に保持させることができるとともに、この保持を、ブラケット上での位置ずれやブラケットからの脱落なく、安定的に実施することができる平行棒支持装置を提供することを目的とする。
【課題を解決するための手段】
【００１０】
前記目的達成のために、本考案にかかる平行棒支持装置は、上方に開放する略矩形状の矩形状切欠および該矩形状切欠の開放端部において前記矩形状切欠内へ突出するブラケット側係止部を持つ長板状のブラケットと、該ブラケットの両側面に水平に突設されたストッパピンと、前記矩形状切欠近傍において、前記ブラケットの上面および両側面を被うとともに、前記矩形状切欠の開放端部へ突出するストッパ部材側係止部を持つコ字状のストッパ部材と、該ストッパ部材の対向片に斜め方向に穿設され、前記ストッパピンにより案内されて、前記ストッパ部材を昇降移動可能にするガイド長孔とを備え、前記ストッパ部材が前記昇降移動の最上位付近にあるときは、矩形断面型平行棒を前記矩形状切欠の開放端部から挿入可能にし、前記ストッパ部材が前記昇降移動の最下位付近にあるときは、前記矩形状切欠内に挿入された前記矩形断面型平行棒の側面および上面を前記ストッパ部材によって抑圧可能にすることを特徴とする。
【００１１】
この構成により、ストッパ部材を昇降移動の最上位へ操作すると、ブラケット両側面のストッパピンによってガイド長孔が案内されることにより、そのストッパ部材はブラケットの矩形状切欠から離れるように斜め上方向に上昇していく。
【００１２】
このため、矩形状切欠の開放部から遠ざかるように、ストッパ部材のストッパ部材側係止部が退避し、ブラケットの上方から矩形状切欠への矩形断面型平行棒の案内および装着が容易となる。また、ストッパ部材の前記操作を解除すると、前記ストッパ部材は前記とは逆に下方へ移動し、ストップ部材側係止部が矩形状切欠内の矩形断面型平行棒をブラケット側係止部とともに上から押さえるように保持する。また、この矩形断面型平行棒の保持解除は、前記ストッパ部材を再び指で摘み上げることで、簡単に行える。
【００１３】
また、本考案にかかる平行棒支持装置は、前記矩形状切欠のうち、前記ストッパピン側の切欠縁が、前記矩形状切欠の前記開放端部に向かって拡開するように傾斜してなることを特徴とする。
【００１４】
この構成により、ストッパ部材側係止部が退避したときに、矩形状切欠の開放部を大きく開くため、矩形状切欠に対する矩形断面型平行棒の挿入操作を容易化することができる。
【考案の効果】
【００１５】
本考案の平行棒支持装置は、ストッパ部材が昇降移動の最上位付近にあるときは、矩形断面型平行棒を矩形状切欠の開放端部から挿入可能にし、前記ストッパ部材が前記昇降移動の最下位付近にあるときは、前記矩形状切欠内に挿入された前記矩形断面型平行棒の側面および上面を前記ストッパ部材によって抑圧可能にしたことにより、ブラケットの上方から矩形状切欠内への矩形断面型平行棒の案内および装着を容易にするとともに、矩形状切欠内における矩形断面型平行棒の保持を確実にし、この矩形断面型平行棒が矩形状切欠内で移動したり、ずれ落ちたりすることを未然に回避することができる。
【考案を実施するための最良の形態】
【００１６】
以下に、本考案にかかる平行棒支持装置の実施形態を、図面を参照して説明する。  
図１は、本考案の実施形態による平行棒支持装置を持つ商品陳列装置の斜視図である。同図において、この商品陳列装置１１は、一対の支柱１２と、これらの支柱１２に支持された各一のブラケット１３と、これらのブラケット１３の先端部に縣架された矩形断面型平行棒１４とから構成されている。
【００１７】
前記各支柱１２の前部（前面）の、互いに対向する高さ位置には、複数の長形の係止孔１５が穿設されている。これらの支柱１２は、アルミや鉄などの金属材料から角筒状に作られている。また、前記ブラケット１３には、基端に周知のフック形状部（図示しない）が設けられ、このフック形状部が前記支柱１２の係止孔１５内に挿入される。
【００１８】
この挿入により、係止孔１５の下縁に前記フック形状部が係止され、従って、ブラケット１３は支柱１２に対し水平にまたは傾斜して支持される。これらのブラケット１３は、各支柱１２の互いに同一高さ位置にある係止孔１５に、それぞれ簡単、迅速に装着可能である。
【００１９】
前記ブラケット１３は、図２にも示すように、先端部に矩形状切欠１６を持つ。この矩形状切欠１６は、上方に開放しており、その開放端部１６ａの一部には矩形状切欠１６内へ突出するブラケット側係止部１３ａが突設されている。
【００２０】
また、矩形状切欠１６のうち、後述のストッパピン側の切欠縁は、前記開放端部１６ａに向かって拡開するように傾斜する傾斜面１６ｂとなっている。従って、この矩形状切欠１６の底部１６ｃは矩形断面型平行棒１４の幅に近い長さであるのに対し、開放端部１６ａの間隔Ａはその矩形断面型平行棒１４の幅よりも十分に広くなっている。
【００２１】
これにより、矩形状切欠１６内への矩形断面型平行棒１４の挿入操作を簡単、迅速かつスムースに行うことができる。また、矩形状切欠１６に連続するようにブラケット１３の上縁にはストッパ部材設置用の切欠部１７が連接されている。
【００２２】
このブラケット１３の両側面の上部位置であって、前記矩形状切欠１６に近い位置には、ストッパピン１８が水平方向に突設されている。なお、このストッパピン１８は、ブラケット１３を貫通するように設けられた１本のピンである。
【００２３】
また、前記ブラケット１３における矩形状切欠１６には、図３乃至図５に示すように、コ字状断面を持つストッパ部材１９が装着されている。このストッパ部材１９は、同形状、同サイズの２つの側片部１９ａとこれらを繋ぐ連結片部１９ｂとからなる。
【００２４】
前記各側片部１９ａは、互いに他に対し対向片となる関係である。これらの側片部１９ａ間の間隙は、ブラケット１３の厚みより僅かに大きい程度であり、従って、このブラケット１３の上面および両側面を、図３乃至図５に示すように、移動自在に被うことができる。
【００２５】
前記各側片部１９ａには、ガイド長孔２０が斜め方向に穿設されている。このガイド長孔２０はストッパピン１８が挿通されて、このストッパピン１８により昇降移動がガイドされる。なお、このガイド長孔２０は真直ぐではなく、必要に応じ円弧状やその他の形状にしてもよい。
【００２６】
また、ストッパ部材１９の連結片１９ｂは、側片部１９ａに対し僅かに矩形状切欠１６側に突出するストッパ部材側係止部１９ｃを有する。また、ストッパ部材１９が切欠部１７に装着された状態のとき、そのストッパ部材側係止部１９ｃおよびブラケット側係止部１３ａの下縁が、同一水平面内に位置するようになされる。なお、このとき前記ストッパピン１８を、図３乃至図５に示すようにガイド長孔２０に挿通させる。
【００２７】
前記矩形断面型平行棒１４やブラケット１３、ストッパ部材１９は、剛性の高い材料例えばアルミや鉄などの金属材料や、硬質のプラスチックなどからなる。
【００２８】
このような商品陳列装置の平行棒支持装置では、一対の支柱１２にブラケット１３の基端を係止させた上で、これらのブラケット１３の先端部間に平行棒１４を、次のように支持させる。
【００２９】
まず、ブラケット１３の先端部に装着されているストッパ部材１９を、指で摘み上げる。このとき、ストッパ部材１９の上昇方向は、ガイド長孔２０がストッパピン１８により案内される方向であり、図４に鎖線で示すように、略斜め上方の最上位位置で停止される。
【００３０】
このため、ストッパ部材１９前部の側縁１９ｄは、矩形状切欠１６内から図４の鎖線で示すように退避する。また、ストッパ部材側係止部１９ｃも矩形状切欠１６の開口端部１６ａから退避する。
【００３１】
従って、ストッパ部材１９は、図４の矢印Ｐで示す方向に上昇し、矩形状切欠１６の開放部１６ａを大きく開くこととなり、この開放部１６ａを通じての矩形状切欠１６内への矩形断面型平行棒１４の挿入を、図４の矢印Ｑで示す方向に容易、迅速に行える。
【００３２】
また、この矩形状切欠１６は、前述のように斜め方向の傾斜面１６ｂを持つため、その開口間隔Ａが矩形断面型平行棒１４の幅よりも大きく、この矩形断面型平行棒１４の矩形状切欠１６内への挿入が容易、迅速に行える。
【００３３】
一方、矩形断面型平行棒１４の矩形状切欠１６内への挿入が行われた後は、ストッパ部材１９の把持を解除または指で押し下げる。このため、ストッパ部材１９は、ガイド長孔２０がストッパピン１８によって案内される方向に行われ、ストッパ部材１９の側縁１９ｄが矩形断面型平行棒１４の一側面に接触した位置で、降下が停止する。
【００３４】
このとき、矩形断面型平行棒１４は矩形上切欠１６内に落ち込んで、その上部の前後縁がブラケット側係止部１３ａおよびストッパ部材側係止部１９ｃの下縁によって抑えられるように保持される。このため、仮に矩形断面型平行棒１４に外力が加わっても、前記ストッパ部材１９による矩形断面型平行棒１４の保持が確実となり、容易に外れることはない。
【００３５】
前記矩形断面型平行棒１４をブラケット１３の矩形状切欠１６から取り外すには、前記と同様にストッパ部材１９の摘み上げ操作を行い、このストッパ部材１９の側縁１９ｄと２つの係止部１３ａ、１６ａとによる矩形断面型平行棒１４の抑圧保持を解除することによって、スムースかつ迅速に行うことができる。
【００３６】
なお、前記矩形断面型平行棒１４を、矩形状切欠１６の開放部１６ａからではなく、ブラケット１３の側面側から矩形状切欠１６内に、水平方向に挿通した場合にも、ストッパ部材１９の操作による矩形断面型平行棒１４の保持を、前記同様に行うことができる。
【００３７】
また、前記実施形態では、ブラケット１３を支柱１２に対して水平に装着した場合について説明したが、図６に示すように、傾斜部１３ｂと水平部１３ｃとが連続するヘ字型ブラケット（アップブラケット）１３Ａを用いることもできる。
【００３８】
以上のように、本実施の形態にあっては、上方に開放する矩形状切欠１６および該矩形状切欠１６の開放部１６ａにおいて矩形状切欠１６内へ突出するブラケット側係止部１３ａを持つ長板状のブラケット１３と、該ブラケット１３の両側面に水平に突設されたストッパピン１８と、前記矩形状切欠１６近傍において、前記ブラケット１３の上面および両側面を被うとともに、前記矩形状切欠１６の開放端部１６ａへ突出するストッパ部材側係止部１９ｃを持つコ字状のストッパ部材１９と、該ストッパ部材１９の対向片に斜め方向に穿設され、前記ストッパピン１８により案内されて、前記ストッパ部材１９を昇降移動可能にするガイド長孔２０とを備え、前記ストッパ部材１９が前記昇降移動の最上位付近にあるときは、矩形断面型平行棒１４を前記矩形状切欠１６の開放端部１６ａから挿入可能にし、前記ストッパ部材１９が前記昇降移動の最下位付近にあるときは、前記矩形状切欠１６内に挿入された前記矩形断面型平行棒１４の側面および上面を前記ストッパ部材１９によって抑圧可能にしたことにより、ストッパ部材１９の最上位付近への上昇時には、矩形断面型平行棒１４の矩形状切欠１６内への挿入作業をスムースに実施でき、一方、矩形状切欠１６内に挿入された矩形断面型平行棒１４に対しては、ストッパ部材１９を最下位へ降下させることにより、矩形断面型平行棒１４の矩形状切欠１６内における押圧と保持を確実にすることができる。この結果、商品陳列装置等の全体の組み立て効率が大幅に向上することとなる。
【産業上の利用可能性】
【００３９】
本考案の平行棒支持装置は、複数の支柱に係止されたブラケット先端に、ハンガー等を吊持させるための矩形断面型平行棒を簡単、迅速に支持させることができるとともに、この矩形断面型平行棒の支持を、ブラケット上での位置ずれや、ブラケットからの脱落なく、安定的に実施できるという効果を有し、複数の支柱に係止されたブラケット間に支持された矩形断面型平行棒に対し、衣料品を掛けたハンガー等を吊持して、陳列、販売に供する商品陳列装置等におけ平行棒支持装置に有用である。
【図面の簡単な説明】
【００４０】
【図１】本考案の実施形態による平行棒支持装置を持つ商品陳列装置を概念的に示す斜視図である。
【図２】図１に示すブラケット先端部の側面図である。
【図３】図１に示す平行棒支持装置要部の分解斜視図である。
【図４】図１に示す平行棒支持装置要部の側面図である。
【図５】図４に示す平行棒支持装置のＣ−Ｃ線における断面図である。
【図６】本考案におけるブラケットの他の例を示す側面図である。
【符号の説明】
【００４１】
１１  商品陳列装置
１２  支柱
１３  ブラケット
１３ａ  ブラケット側係止部
１４  矩形断面型平行棒
１６  矩形状切欠
１６ａ  
１６ｂ  切欠縁（傾斜面）
１８  ストッパピン
１９  ストッパ部材
１９ｃ  ストッパ部材側係止部
２０  ガイド長孔
【図１】
0003121505.tif 000003
【図２】
0003121505.tif 000004
【図３】
0003121505.tif 000005
【図４】
0003121505.tif 000006
【図５】
0003121505.tif 000007
【図６】
0003121505.tif 000008